(57)【要約】【課題】  簡単な加工方法で被加工面に立体画像を形成可能とする加工技術を提供する。【解決手段】  柱状の回転体１０の先端端面１０ｂにおいて、砥石部２０を、回転体１０の先端端面１０ｂにおいて、回転中心を通る直線上、つまり直径上に設ける。回転体１０と砥石部２０とは、同じ材質でできており、回転体１０の端面１０ｂを切削することによって、端面１０ｂの直径上に砥石部２０を形成する。そして、砥石部２０を被加工物の被加工面に当接させた状態で、取付軸１２をフライス盤やドリルなどの回転軸に取り付けて、回転体１０を回転させつつ被加工面上を相対的に移動させることにより、被加工面に立体画像を形成することができる。【選択図】図１
2016147347.tif 000002
【特許請求の範囲】
【請求項１】
回転体と、
前記回転体の少なくとも一部に設けられた、被加工面を研削するための研削手段と、
を備えたことを特徴とする研削器具。
【請求項２】
請求項１に記載の研削器具において、
前記研削手段は、
前記回転体の先端端面において、前記回転体の回転中心を通る直線上に設けられていることを特徴とする研削器具。
【請求項３】
請求項２に記載の研削器具において、
前記研削手段は、
前記回転体の先端端面において、前記回転体の回転中心を通る直線状で回転中心から半径上に配置されていることを特徴とする研削器具。
【請求項４】
請求項１〜請求項３のいずれか１項に記載の研削器具の研削手段を、被加工面に当接させ、
前記研削器具を回転させながら前記被加工面上を相対的に移動させることにより前記被加工面に立体画を形成することを特徴とする立体画像加工方法。
【発明の詳細な説明】
【技術分野】
【０００１】
本発明は、研削器具を用いて、被加工面に立体画像を形成する立体画像加工方法に関する。
【背景技術】
【０００２】
従来、立体画（ステレオグラム）を立体物の凹凸により再現したステレオグラム表示体を製造する技術がある。この技術では、平板状のステレオグラム表示体の表面に凹凸が形成された基板を備えており、ステレオグラムはこの凹凸による陰影によって再現される。
【０００３】
基板の凹凸は、カラーフィールドステレオグラムを表す元絵データに基づいて作成された切削データをＮＣデータに変換し、そのＮＣデータに基づいて基板表面に切削加工を施すことにより形成されている（例えば、特許文献１参照）。
【先行技術文献】
【特許文献】
【０００４】
【特許文献１】特願２０１３−１６３２７４号公報
【発明の概要】
【発明が解決しようとする課題】
【０００５】
ところが、上記ステレオグラム表示体製造技術では、カラーフィールドステレオグラムを表す元絵データに基づいてＮＣ加工することにより基板表面に凹凸を形成するため、複雑な立体画像の表示が可能となるものの、カラーフィールドステレオグラムを表す元絵データが必要であったり、元絵データをＮＣ加工のためのデータに変換したり、ＮＣ加工により基板表面に凹凸を形成する必要があったりするなど、加工に手間が掛かるという問題があった。
【０００６】
本発明は、こうした問題に鑑みなされたもので、簡単な加工方法で被加工面に立体画像を形成可能とする加工技術を提供することを目的とする。
【課題を解決するための手段】
【０００７】
この欄においては、発明に対する理解を容易にするため、必要に応じて「発明を実施するための形態」欄において用いた符号を付すが、この符号によって請求の範囲を限定することを意味するものではない。
【０００８】
上記「発明が解決しようとする課題」において述べた問題を解決するためになされた発明は、柱状の回転体（１０）と、回転体（１０）の先端端面（１０ｂ）の少なくとも一部に設けられた、被加工面（８０ａ）を研削するための研削手段（２０）と、を備えたことを特徴とする研削器具（１，２，３，４）である。
【０００９】
また、請求項２に記載のように、研削手段（２０）を、回転体（１０）の先端端面（１０ｂ）において、回転体（１０）の回転中心を通る直線上に設けるようにしてもよい。
さらに、請求項３に記載のように、研削手段（２０）を、回転体（１０）の先端端面（１０ｂ）において、回転体（１０）の回転中心を通る直線上で回転中心から半径上に配置するようにしてもよい。
【００１０】
請求項４に記載の発明は、請求項１〜請求項３のいずれか１項に記載の研削器具（１，２，３，４）の研削手段（２０）を被加工面（８０ａ）に当接させ、研削器具（１，２，
３，４）を回転させながら被加工面（８０ａ）上を相対的に移動させることにより被加工面（８０ａ）に立体画像を形成することを特徴とする立体画像加工方法である。
【発明の効果】
【００１１】
以上のような研削器具（１，２，３，４）及びそれを用いた立体画像加工方法によれば、被加工面に立体画像を容易に形成することが可能となる。
つまり、研削器具（１，２，３，４）の研削手段（２０）を被加工面（８０ａ）に当接させた上で、研削器具（１，２，３，４）を回転させながら被加工面（８０ａ）上を相対的に移動させるという簡単な加工方法で立体画像を得ることができる。以下その理由を説明する。
【００１２】
研削手段（２０）を被加工面（８０ａ）に当接させた状態で研削器具（１，２，３，４）を回転させると被加工面（８０ａ）に円形の微細な溝が形成される。そして、研削器具（１，２，３，４）を回転させつつ相対的に移動させると、被加工面（８０ａ）に螺旋状に微細な溝が形成される。
【００１３】
このようにして形成された溝をある方向の目線から見ると、目線の反対側から溝に入射した光のみが目線に入り、目線の反対側以外から溝に入射した光は目線方向に反射しないため目線の方向に形成された円筒状の図形（模様）を視認することができる。
【００１４】
また、目線をずらしたり、被加工物（８０）をずらしたりすると、同様の原理で、円筒状の図形が傾いたように見える。つまり、目線を回転させたり被加工物（８０）を平面上で回転させたりすると、円筒状の図形が立体的に回転するように見える。
【図面の簡単な説明】
【００１５】
【図１】第１実施形態における研削器具の概略の構成を示す図である。
【図２】立体画像形成工程を説明するための模式図である。
【図３】第１実施形態における立体画像形成工程で形成した立体画像の例を示す図である。
【図４】第２実施形態における研削器具の概略の構成を示す図である。
【図５】第２実施形態における立体画像形成工程で形成した立体画像の例を示す図である。
【図６】第３実施形態における研削器具の概略の構成を示す図である。
【図７】第３実施形態における立体画像形成工程で形成した立体画像の例を示す図である。
【図８】第４実施形態における研削器具の概略の構造を示す図であり、
【図９】第４実施形態における立体画像形成工程で形成した立体画像の例を示す図である。
【図１０】第５実施形態における立体画像形成工程で形成した立体画像の例を示す図である
【発明を実施するための形態】
【００１６】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
（研削器具１の構造）
まず、図１に基づいて研削器具の構造について説明する。図１は、研削器具１の概略の構造を示す図であり、図１（ａ）に概略の構成図、図１（ｂ）及び図１（ｃ）に実際の研削器具１の写真を示す。
【００１７】
図１に示すように研削器具１は、回転体１０、取付軸１２及び砥石部２０を備えている。
回転体１０は、後述する砥石部２０と同じ材料を、焼結などにより円柱状に固めたものであり、円柱形状の２つの端面のうちの一端１０ａ側の回転中心軸上に取付軸１２が取り付けられている。
【００１８】
取付軸１２は、ステンレスなどの金属製の棒材であり、フライス盤７０やドリルなどの回転軸７４のチャック７２に研削器具１を取り付けるための軸である。
砥石部２０は、砥粒と結合剤を混ぜて焼き固めたもので、高速で回し、硬い砥粒によって被加工物８０の面（被加工面８０ａ）を少しずつ削り取って加工するものである。被加工物８０の材質、加工の目的（立体画像の形状）などによって、適当な結合度（結合の強さ）、粒度（砥粒の大きさ）などの砥石を選ぶようになっている。
【００１９】
砥粒の材質としては、アルミナ研削材、人造エメリー研削材、アルミナジルコニア研削材などのアルミナ質研削材や黒色炭化ケイ素研削材、緑色炭化ケイ素研削材などの炭化ケイ素質研削材などを用いる。
【００２０】
砥石部２０は、回転体１０と一体として円筒形状に焼結されたものの先端部分を研磨などにより削って、回転体１０の端面のうち取付軸１２が取り付けられている端面１０ａと反対側の端面１０ｂに、長手方向が、端面１０ｂの直径と一致するように細長い直方体形状に形成したものである。
【００２１】
なお、砥石部２０の長手方向の長さは、被加工面８０ａに形成する立体画像の大きさによって決定される。
（立体画像形成工程）
次に、図２に基づき、被加工面８０ａに立体画像を形成するための工程について説明する。図２は、立体画像形成工程を模式的に示した模式図である。
【００２２】
図２に示すように、立体画像形成工程は、以下の（ア）〜（ウ）の工程により構成されている。
（ア）研削器具１の取付軸１２をフライス盤７０のチャック７２に挿入して締め付け、回転軸７４に取り付ける。また、フライス盤７０のテーブル７６に被加工物８０であるＳＵＳ材の平板（以下、ＳＵＳ板８０とも呼ぶ）を載置して固定する（図２（ａ）参照）。
（イ）フライス盤７０の回転軸７４を図２（ｂ）中に下向きの矢印で示すように降下させて、研削器具１の砥石部２０をＳＵＳ板８０の被加工面８０ａに当接させる（図２（ｂ）参照）。
（ウ）フライス盤７０の回転軸７４を所定の回転数で回転させつつ、フライス盤７０のテーブル７６を所定の立体画像が得られるように、研削器具１の移動軌跡が図２（ｃ）中に横方向の矢印で示すように直線状になるように移動させる（図２（ｃ）参照）。
（立体画像形成工程の特徴）
次に、図３に基づき、以上のような立体画像形成工程の特徴について説明する。図３は、上記立体画像形成工程で形成した立体画像の例を示す図である。
【００２３】
上記のように、研削器具１を回転させながらＳＵＳ板８０の被加工面８０ａ上を相対的に移動させると、被加工面８０ａ上に、砥石部２０の幅で螺旋状に極小幅の溝が形成される。
【００２４】
この溝は螺旋状に連続的に形成されているため、加工が済んだ被加工面８０ａをある目線の方向から目視すると、目線の反対方向から溝で反射した光が目線に入り、それ以外の
方向からの光は目線以外の方向に反射されるため目線に入らないことになる。
【００２５】
このとき、視認することができる画像を図３（ａ）に示す。図３（ａ）では、被加工面８０ａ上で、上下に分かれたリングから形成される立体的な円筒状の模様を複数視認することができる。
【００２６】
このうち１つの模様において視認できる上下２つのリングの一方は、回転体１０の端面１０ｂの直径上に配置された砥石部２０のうち、回転体１０の回転中心から端部までの長さ（図１中に示す砥石部２０では、ほぼ半径）の部分で形成された模様であり、他方は、砥石部２０の残りの部分（図１中に示す砥石部２０では、ほぼ他の半径）で形成される模様である。
【００２７】
さらに、目線を右向きにずらすか被加工面８０ａを左に回転させた場合に視認できる模様を図３（ｂ）に示す。図３（ｂ）では、円筒状の模様が図３（ａ）に示す模様を斜め方向から視認したものとなる。
【００２８】
これは、被加工面８０ａに形成された溝から反射して目線に入る光が図３（ａ）に示す場合に比べ、目線をずらすか被加工面８０ａを回転させた分、斜めの位置で反射するためである。
【００２９】
また、目線を左向きにずらすか被加工面８０ａを右に回転させた場合に視認できる模様を図３（ｃ）に示す。図３（ｃ）でも図３（ｂ）と同様な原理で、円筒状の模様が図３（ａ）に示す模様を斜め方向から視認したものとなる。
【００３０】
以上のように、本立体画像形成加工を施した被加工面８０ａに対し目線を回転させるか、被加工面８０ａを回転させると、立体画像形成加工により被加工面８０ａに形成された溝から目線方向に対してのみ光が反射され、目線の方向以外の光が目線に入らないことで、円筒状の模様が立体的に回転しているように見える。
［第２実施形態］
次に、図４に基づき、研削器具１の砥石部２０を異なる形状とした第２実施形態について、図４は、研削器具２の概略の構造を示す図であり、図４（ａ）に概略の構成図、図４（ｂ）及び図４（ｃ）に実際の研削器具２の写真を示す。
【００３１】
第２実施形態における研削器具２は、図４に示すように、回転体１０の円形の先端端面１０ｂのうち、回転体１０の回転中心を原点として２７０度分（端面１０ｂの４分の３）を削除して形成してある。
【００３２】
砥石部２０以外の構造は、第１実施形態における研削器具１と同様であるため、同じ符号を付し、説明を省略する。
このような、研削器具２を用いて、第１実施形態と同じ立体画像形成工程により被加工物８０の被加工面８０ａを加工した立体画像の例を図５に示す。図５（ａ）は、被加工面８０ａを正面視した図であり、図５（ｂ）は、被加工面８０ａを右斜めから見た図であり、図５（ｃ）は、被加工面８０ａを左斜めから見た図である。
【００３３】
第２実施形態（研削器具２を用いた立体画像形成工程）においても、第１実施形態（研削器具１を用いた立体画像形成工程）と同様に、円筒状の模様が立体的に回転しているように見える（図５（ａ）、図５（ｂ）、図５（ｃ）参照）。
［第３実施形態］
次に、図６に基づき、研削器具１の砥石部２０を異なる形状とした第２実施形態について、図６は、研削器具３の概略の構造を示す図であり、図６（ａ）に概略の構成図、図６
（ｂ）及び図６（ｃ）に実際の研削器具３の写真を示す。
【００３４】
第２実施形態における研削器具３は、図６に示すように、回転体１０の円形の先端端面１０ｂのうち、回転体１０の回転中心から外れた位置に、半円状の凸部を残し、その部分を砥石部２０とし、その他の部分を削除して形成してある。
【００３５】
砥石部２０以外の構造は、第１実施形態における研削器具１と同様であるため、同じ符号を付し、説明を省略する。
このような、研削器具３を用いて、第１実施形態と同じ立体画像形成工程により表面加工した立体画像の例を図７に示す。図７（ａ）は、被加工面８０ａを正面視した図であり、図７（ｂ）は、被加工面８０ａを右斜めから見た図であり、図７（ｃ）は、被加工面８０ａを左斜めから見た図である。
【００３６】
第３実施形態（研削器具３を用いた立体画像形成工程）においても、第１実施形態と同様に（研削器具１を用いた立体画像形成工程）に、円筒状の模様が立体的に回転しているように見える（図７（ａ）、図７（ｂ）、図７（ｃ）参照）。
［第４実施形態］
次に、図８に基づき、研削器具１の砥石部２０を異なる形状とした第４実施形態について説明する。図８は、研削器具４の概略の構造を示す図であり、図８（ａ）に概略の構成図、図８（ｂ）及び図８（ｃ）に実際の研削器具４の写真を示す。
【００３７】
砥石部２０以外の構造は、第１実施形態における研削器具１と同様であるため、同じ符号を付し、説明を省略する。
第４実施形態における研削器具４は、図８に示すように、回転体１０の円形の先端端面１０ｂを、長手方向が、端面１０ｂの直径と一致し、回転体１０の回転中心から半径の長さとなるように細長い直方体形状に形成したものである。
【００３８】
このような、研削器具４を用いて、第１実施形態と同じ立体画像形成工程により表面加工した立体画像の例を図９に示す。図９（ａ）は、被加工面８０ａを正面視した図であり、図９（ｂ）は、被加工面８０ａを右斜めから見た図であり、図９（ｃ）は、被加工面８０ａを左斜めから見た図である。
【００３９】
第４実施形態（研削器具４を用いた立体画像形成工程）においても、第１実施形態と同様に（研削器具１を用いた立体画像形成工程）に、円筒状の模様が立体的に回転しているように見える（図９（ａ）、図９（ｂ）、図９（ｃ）参照）。
［第５実施形態］
次に、図１０に基づき、第１実施形態〜第４実施形態と異なる立体画像形成工程としてものについて説明する。図１０は、第５実施形態における立体画像形成工程で形成した立体画像の例を示す図である。
【００４０】
第５実施形態では、第４実施形態における研削器具４を用いて立体画像形成を行っているため、研削器具の説明は省略する。
第５実施形態では、フライス盤７０の回転軸７４を回転させつつ回転軸７４を連続的に移動させるのではなく、
（ア）回転軸７４を回転させつつ研削器具４の砥石部２０をＳＵＳ板８０に当接させＳＵＳ板８０の被加工面８０ａを研削する。
（イ）その後、砥石部２０をＳＵＳ板８０から離隔する。
（ウ）回転軸７４の位置を移動させる。
（エ）（ア）〜（ウ）を繰り返し、ＳＵＳ板８０に、非連続的に立体画像を形成する。
【００４１】
このよう立体画像形成工程により表面加工した立体画像の例を図１０に示す。図１０（ａ）は、被加工面８０ａを正面視した図であり、図１０（ｂ）は、被加工面８０ａを右斜めから見た図であり、図１０（ｃ）は、被加工面８０ａを左斜めから見た図である。
【００４２】
第５実施形態（研削器具４を用いた立体画像形成工程）では、第１実施形態〜第４実施形態と異なり（研削器具４を用いた立体画像形成工程）、直方体の両端面を除いた形状の模様が立体的に回転しているように見える（図１０（ａ）、図１０（ｂ）、図１０（ｃ）参照）。
［その他の実施形態］
（１）上記実施形態では、研削器具１，２，３、４の回転体１０は、円柱形状としたが、円柱形状でなくとも、四角柱などの多角柱の形状あるいは樽状などであってもよい。
（２）上記実施形態では、研削器具１，２，３、４を回転させるためにフライス盤７０を用いたが、フライス盤７０でなくともドリルなどを用いてもよい。
【００４３】
また、ロボットアームの先端に研削器具１，２，３、４の回転機構を取付けて研削器具１，２，３、４を回転させつつ被加工物８０に対して移動させるようにしてもよい。
（３）上記実施形態では、フライス盤７０のテーブル７６を移動させることによって研削器具１，２，３、４と被加工物８０の被加工面８０ａとを相対的に移動させていたが、被加工物８０を固定し、フライス盤７０やドリルなどの回転軸を移動させることによって、研削器具１，２，３、４と被加工物８０の被加工面８０ａとを相対的に移動させてもよい。
（４）上記実施形態では、研削器具１，２，３、４を被加工面８０ａ上で直線状に移動させていたが、移動方向は直線状でなくても、円状の曲線や自由曲線などを描くように移動させてもよい。
（５）上記実施形態では、研削器具１，２，３、４の回転体１０の端面１０ｂを切削加工して砥石部２０を形成していたが、回転体１０を他の材質（例えば金属材料など）で形成し、その端面１０ｂに砥石部２０を埋め込みや接着あるいはボルトなどで機械的に取り付けるようにしてもよい。
（６）上記実施形態では、被加工物８０としてＳＵＳ板を用いていたが、光が反射する材質のものであればＳＵＳ板以外のアルミ材などの金属材料あるいはアクリルやプラスチックなどの樹脂材を用いてもよい。
（７）上記実施形態では、研削器具１，２，３，４として、回転体１０の先端に砥石部２０を形成していたが、砥石部２０の代わりに、金属や硬質樹脂の線材などをブラシ状に多数配列したものとしてもよい。また、そのブラシに、砥粒を付着させるようにしてもよい。
【符号の説明】
【００４４】
１，２，３、４… 研削器具  １０… 回転体  １０ａ、１０ｂ… 端面  １２… 取付軸
２０… 砥石部  ７０… フライス盤  ７２… チャック  ７４… 回転軸  ７６… テーブル  ８０… 被加工物（ＳＵＳ板）  ８０ａ… 被加工面。
【図２】
2016147347.tif 000003
【図１】
2016147347.tif 000004
【図３】
2016147347.tif 000005
【図４】
2016147347.tif 000006
【図５】
2016147347.tif 000007
【図６】
2016147347.tif 000008
【図７】
2016147347.tif 000009
【図８】
2016147347.tif 000010
【図９】
2016147347.tif 000011
【図１０】
2016147347.tif 000012